(57)【要約】【課題】  基幹データベースに対するデータ更新についてデータ更新が適正に為されたことを容易に確認できる更新データ確認システムを提供する。【解決手段】  更新前シート生成手段４１１が更新前シートデータに作成し、更新前ＤＢファイル生成手段４１２が当該シートデータから更新前ＤＢファイルを生成し、当該シートデータからデータの変更を行った更新用データを、更新処理手段４１３が基幹ＤＢ２への更新処理を行い、基幹ＤＢ２から更新終了の応答があった更新済みデータを基に、更新後シート生成手段４１４が更新後シートデータを生成し、更新後ＤＢファイル生成手段が当該シートデータから更新後ＤＢファイルを生成し、比較照合手段４１６が更新前ＤＢファイルと更新後ＤＢファイルとを比較照合し、相違する部分を抽出して表示する更新データ確認システムである。【選択図】        図２
2009271674.tif 000002
【特許請求の範囲】
【請求項１】
顧客データを記憶する基幹データベースと、前記基幹データベースに対して顧客データの更新処理を制御する基幹処理サーバと、前記基幹処理サーバに対して更新の問い合わせを行い、更新用データを送信し、前記基幹データベースの顧客データを表示出力するデータ入力装置とを有する更新データ確認システムであって、
前記データ入力装置は、更新前のシートデータを記憶する更新前シート記憶部と、更新前のデータベースファイルを記憶する更新前ＤＢファイル記憶部と、更新用データを記憶する更新用データ記憶部と、更新済みデータを記憶する更新済みデータ記憶部と、更新後のシートデータを記憶する更新後シート記憶部と、更新後のデータベースファイルを記憶する更新後ＤＢファイル記憶部とを備え、
前記データ入力装置の制御部によって実現される手段として、前記基幹処理サーバに更新対象の顧客データを問い合わせると、更新前のデータが表示部に表示され、その表示画面から更新前シートデータを生成し、前記更新前シート記憶部に記憶する更新前シート生成手段と、
前記更新前シート記憶部から更新前のシートデータを読み込み、更新前データベースファイルを生成し、前記更新前ＤＢファイル記憶部に記憶する更新前ＤＢファイル生成手段と、
前記基幹処理サーバに問い合わせた顧客データについてデータ変更された更新用データを前記更新用データ記憶部から読み込み、更新用データを前記基幹処理サーバに送信して前記基幹データベースに対する更新処理を指示する更新処理手段と、
前記基幹処理サーバから返信された更新済みデータを前記更新済みデータ記憶部に記憶し、前記表示部に更新済みデータを表示し、表示された更新済みデータの画面から更新後シートデータを生成し、前記更新後シート記憶部に記憶する更新後シート生成手段と、
前記更新後シート記憶部から更新後のシートデータを読み込み、更新後データベースファイルを生成し、前記更新後ＤＢファイル記憶部に記憶する更新後ＤＢファイル生成手段と、
前記更新前ＤＢファイル記憶部に記憶された更新前データベースファイルと前記更新後ＤＢファイル記憶部に記憶された更新後データベースファイルとを比較照合し、両者の相違箇所を抽出して前記表示部に表示する比較照合手段とを有することを特徴とする更新データ確認システム。
【請求項２】
更新前シート生成手段は、表示部に表示された表示画面から文字等の情報を読み込んで表計算用のシートデータを生成し、更新前シートデータとして更新前シート記憶部に記憶し、
更新後シート生成手段は、前記表示部に表示された更新済みデータの画面から文字等の情報を読み込んで表計算用のシートデータを生成し、更新後シートデータとして更新後シート記憶部に記憶することを特徴とする請求項１記載の更新データ確認システム。
【請求項３】
顧客データを記憶する基幹データベースと、前記基幹データベースに対して顧客データの更新処理を制御する基幹処理サーバと、前記基幹処理サーバに対して更新の問い合わせを行い、更新用データを送信し、前記基幹データベースの顧客データを表示出力するデータ入力装置とを有する更新データ確認システムであって、
前記データ入力装置は、更新前のシートデータを記憶する更新前シート記憶部と、第１の更新用データを記憶する第１の更新用データ記憶部と、第２の更新用データを記憶する第２の更新用データ記憶部と、第１の更新用のデータベースファイルを記憶する第１の更新用ＤＢファイル記憶部と、第２の更新用のデータベースファイルを記憶する第２の更新用ＤＢファイル記憶部と、更新済みデータを記憶する更新済みデータ記憶部と、更新後のシートデータを記憶する更新後シート記憶部と、更新後のデータベースファイルを記憶する更新後ＤＢファイル記憶部とを備え、
前記データ入力装置の制御部によって実現される手段として、前記基幹処理サーバに更新対象の顧客データを問い合わせると、更新前のデータが表示部に表示され、その表示画面から更新前シートデータを生成し、前記更新前シート記憶部に記憶する更新前シート生成手段と、
前記更新前シート記憶部に記憶された更新前のシートデータについてデータ変更された第１の更新用データを前記第１の更新用データ記憶部から読み込み、第１の更新用データベースファイルを生成し、前記第１の更新用ＤＢファイル記憶部に記憶し、前記更新前のシートデータについてデータ変更された第２の更新用データを前記第２の更新用データ記憶部から読み込み、第２の更新用データベースファイルを生成し、前記第２の更新用ＤＢファイル記憶部に記憶する更新用ＤＢファイル生成手段と、
前記第１の更新用データ記憶部から第１の更新用データを読み込み、前記基幹処理サーバに送信して前記基幹データベースに対する更新処理を指示する更新処理手段と、
前記基幹処理サーバから返信された更新済みデータを前記更新済みデータ記憶部に記憶し、前記表示部に更新済みデータを表示し、表示された更新済みデータの画面から更新後シートデータを生成し、前記更新後シート記憶部に記憶する更新後シート生成手段と、
前記更新後シート記憶部から更新後のシートデータを読み込み、更新後データベースファイルを生成し、前記更新後ＤＢファイル記憶部に記憶する更新後ＤＢファイル生成手段と、
前記更新処理手段による更新処理前に、前記第１の更新用ＤＢファイル記憶部に記憶された第１の更新用データベースファイルと前記第２の更新用ＤＢファイル記憶部に記憶された第２の更新用データベースファイルとを比較照合し、両者の相違箇所を抽出して前記表示部に表示し、前記更新処理手段による更新処理後に、前記第２の更新用ＤＢファイル記憶部に記憶された第２の更新用データベースファイルと前記更新後ＤＢファイル記憶部に記憶された更新後データベースファイルとを比較照合し、両者の相違箇所を抽出して前記表示部に表示する比較照合手段とを有することを特徴とする更新データ確認システム。
【請求項４】
更新前シート生成手段は、表示部に表示された表示画面から文字等の情報を読み込んで表計算用のシートデータを生成し、更新前シートデータとして更新前シート記憶部に記憶し、
更新後シート生成手段は、前記表示部に表示された更新済みデータの画面から文字等の情報を読み込んで表計算用のシートデータを生成し、更新後シートデータとして更新後シート記憶部に記憶することを特徴とする請求項３記載の更新データ確認システム。
【発明の詳細な説明】
【技術分野】
【０００１】
本発明は、基幹データベースへのデータ更新を確認するシステムに係り、特に、大量のデータが誤りなく更新されたことを確認できる更新データ確認システムに関する。
【背景技術】
【０００２】
顧客データについて、基幹データベース（基幹ＤＢ）に顧客データの住所変更等のデータ更新を行う場合は、更新データを何度も確認した上で、更新データを基幹ＤＢに送信して、データ更新が為されるようになっていた。
【０００３】
特に、１日に何百件、何千件のデータ更新を行う場合には、更新データの表計算ソフトで更新一覧のシートを作成し、そのシートのデータから更新用のデータを生成して、基幹ＤＢに対して更新用データのアップロードを行うようになっていた。
【０００４】
尚、関連する先行技術として、特開平１１−３１２１１２号公報がある（特許文献１）。
特許文献１は、データベース複製機能を持つ計算機システムにおいて、アプリケーションからのデータ更新要求に従ってデータベース・ファイルのデータを更新する場合、データ更新処理機構が更新データを受け取ると、直ちに処理終了をデータベース・システムに通知するので、データ更新要求元のアプリケーションに対して処理終了を通知できることが示されている。
【０００５】
【特許文献１】特開平１１−３１２１１２号公報
【発明の開示】
【発明が解決しようとする課題】
【０００６】
しかしながら、上記従来のシステムでは、更新前に更新データの内容確認を行うようにしているが、一旦更新が為されると、更新されたデータが適正に更新されたか否かを効果的に確認できるものとはなっておらず、特に、更新データが大量である場合は、確認作業は難しいという問題点があった。
【０００７】
本発明は上記実状に鑑みて為されたもので、基幹データベースに対するデータ更新について更新前と更新後でデータ更新が適正に為されたことを容易に確認できる更新データ確認システムを提供することを目的とする。
【課題を解決するための手段】
【０００８】
上記従来例の問題点を解決するための本発明は、顧客データを記憶する基幹データベースと、基幹データベースに対して顧客データの更新処理を制御する基幹処理サーバと、基幹処理サーバに対して更新の問い合わせを行い、更新用データを送信し、基幹データベースの顧客データを表示出力するデータ入力装置とを有する更新データ確認システムであって、データ入力装置は、更新前のシートデータを記憶する更新前シート記憶部と、更新前のデータベースファイルを記憶する更新前ＤＢファイル記憶部と、更新用データを記憶する更新用データ記憶部と、更新済みデータを記憶する更新済みデータ記憶部と、更新後のシートデータを記憶する更新後シート記憶部と、更新後のデータベースファイルを記憶する更新後ＤＢファイル記憶部とを備え、データ入力装置の制御部によって実現される手段として、基幹処理サーバに更新対象の顧客データを問い合わせると、更新前のデータが表示部に表示され、その表示画面から更新前シートデータを生成し、更新前シート記憶部に記憶する更新前シート生成手段と、更新前シート記憶部から更新前のシートデータを読み込み、更新前データベースファイルを生成し、更新前ＤＢファイル記憶部に記憶する更新前ＤＢファイル生成手段と、基幹処理サーバに問い合わせた顧客データについてデータ変更された更新用データを更新用データ記憶部から読み込み、更新用データを基幹処理サーバに送信して基幹データベースに対する更新処理を指示する更新処理手段と、基幹処理サーバから返信された更新済みデータを更新済みデータ記憶部に記憶し、表示部に更新済みデータを表示し、表示された更新済みデータの画面から更新後シートデータを生成し、更新後シート記憶部に記憶する更新後シート生成手段と、更新後シート記憶部から更新後のシートデータを読み込み、更新後データベースファイルを生成し、更新後ＤＢファイル記憶部に記憶する更新後ＤＢファイル生成手段と、更新前ＤＢファイル記憶部に記憶された更新前データベースファイルと更新後ＤＢファイル記憶部に記憶された更新後データベースファイルとを比較照合し、両者の相違箇所を抽出して表示部に表示する比較照合手段とを有することを特徴とする。
【０００９】
本発明は、上記更新データ確認システムにおいて、更新前シート生成手段が、表示部に表示された表示画面から文字等の情報を読み込んで表計算用のシートデータを生成し、更新前シートデータとして更新前シート記憶部に記憶し、更新後シート生成手段が、表示部に表示された更新済みデータの画面から文字等の情報を読み込んで表計算用のシートデータを生成し、更新後シートデータとして更新後シート記憶部に記憶することを特徴とする。
【００１０】
本発明は、顧客データを記憶する基幹データベースと、基幹データベースに対して顧客データの更新処理を制御する基幹処理サーバと、基幹処理サーバに対して更新の問い合わせを行い、更新用データを送信し、基幹データベースの顧客データを表示出力するデータ入力装置とを有する更新データ確認システムであって、データ入力装置は、更新前のシートデータを記憶する更新前シート記憶部と、第１の更新用データを記憶する第１の更新用データ記憶部と、第２の更新用データを記憶する第２の更新用データ記憶部と、第１の更新用のデータベースファイルを記憶する第１の更新用ＤＢファイル記憶部と、第２の更新用のデータベースファイルを記憶する第２の更新用ＤＢファイル記憶部と、更新済みデータを記憶する更新済みデータ記憶部と、更新後のシートデータを記憶する更新後シート記憶部と、更新後のデータベースファイルを記憶する更新後ＤＢファイル記憶部とを備え、データ入力装置の制御部によって実現される手段として、基幹処理サーバに更新対象の顧客データを問い合わせると、更新前のデータが表示部に表示され、その表示画面から更新前シートデータを生成し、更新前シート記憶部に記憶する更新前シート生成手段と、更新前シート記憶部に記憶された更新前のシートデータについてデータ変更された第１の更新用データを第１の更新用データ記憶部から読み込み、第１の更新用データベースファイルを生成し、第１の更新用ＤＢファイル記憶部に記憶し、更新前のシートデータについてデータ変更された第２の更新用データを第２の更新用データ記憶部から読み込み、第２の更新用データベースファイルを生成し、第２の更新用ＤＢファイル記憶部に記憶する更新用ＤＢファイル生成手段と、第１の更新用データ記憶部から第１の更新用データを読み込み、基幹処理サーバに送信して基幹データベースに対する更新処理を指示する更新処理手段と、基幹処理サーバから返信された更新済みデータを更新済みデータ記憶部に記憶し、表示部に更新済みデータを表示し、表示された更新済みデータの画面から更新後シートデータを生成し、更新後シート記憶部に記憶する更新後シート生成手段と、更新後シート記憶部から更新後のシートデータを読み込み、更新後データベースファイルを生成し、更新後ＤＢファイル記憶部に記憶する更新後ＤＢファイル生成手段と、更新処理手段による更新処理前に、第１の更新用ＤＢファイル記憶部に記憶された第１の更新用データベースファイルと第２の更新用ＤＢファイル記憶部に記憶された第２の更新用データベースファイルとを比較照合し、両者の相違箇所を抽出して表示部に表示し、更新処理手段による更新処理後に、第２の更新用ＤＢファイル記憶部に記憶された第２の更新用データベースファイルと更新後ＤＢファイル記憶部に記憶された更新後データベースファイルとを比較照合し、両者の相違箇所を抽出して表示部に表示する比較照合手段とを有することを特徴とする。
【００１１】
本発明は、上記更新データ確認システムにおいて、更新前シート生成手段が、表示部に表示された表示画面から文字等の情報を読み込んで表計算用のシートデータを生成し、更新前シートデータとして更新前シート記憶部に記憶し、更新後シート生成手段が、表示部に表示された更新済みデータの画面から文字等の情報を読み込んで表計算用のシートデータを生成し、更新後シートデータとして更新後シート記憶部に記憶することを特徴とする。
【発明の効果】
【００１２】
本発明によれば、更新前シート生成手段が、基幹処理サーバに更新対象の顧客データを問い合わせると、更新前のデータが表示部に表示され、その表示画面から更新前シートデータを生成し、更新前シート記憶部に記憶し、更新前ＤＢファイル生成手段が、更新前シート記憶部から更新前のシートデータを読み込み、更新前データベースファイルを生成し、更新前ＤＢファイル記憶部に記憶し、更新処理手段が、基幹処理サーバに問い合わせた顧客データについてデータ変更された更新用データを更新用データ記憶部から読み込み、更新用データを基幹処理サーバに送信して基幹データベースに対する更新処理を指示し、更新後シート生成手段が、基幹処理サーバから返信された更新済みデータを更新済みデータ記憶部に記憶し、表示部に更新済みデータを表示し、表示された更新済みデータの画面から更新後シートデータを生成し、更新後シート記憶部に記憶し、更新後ＤＢファイル生成手段が、更新後シート記憶部から更新後のシートデータを読み込み、更新後データベースファイルを生成し、更新後ＤＢファイル記憶部に記憶し、比較照合手段が、更新前ＤＢファイル記憶部に記憶された更新前データベースファイルと更新後ＤＢファイル記憶部に記憶された更新後データベースファイルとを比較照合し、両者の相違箇所を抽出して表示部に表示する更新データ確認システムとしているので、基幹データベースに対するデータ更新についてデータ更新が適正に為されたことを容易に確認できる効果がある。
【００１３】
本発明によれば、更新前シート生成手段が、基幹処理サーバに更新対象の顧客データを問い合わせると、更新前のデータが表示部に表示され、その表示画面から更新前シートデータを生成し、更新前シート記憶部に記憶し、更新用ＤＢファイル生成手段が、更新前シート記憶部に記憶された更新前のシートデータについてデータ変更された第１の更新用データを第１の更新用データ記憶部から読み込み、第１の更新用データベースファイルを生成し、第１の更新用ＤＢファイル記憶部に記憶し、更新前のシートデータについてデータ変更された第２の更新用データを第２の更新用データ記憶部から読み込み、第２の更新用データベースファイルを生成し、第２の更新用ＤＢファイル記憶部に記憶し、更新処理手段が、第１の更新用データ記憶部から第１の更新用データを読み込み、基幹処理サーバに送信して基幹データベースに対する更新処理を指示し、更新後シート生成手段が、基幹処理サーバから返信された更新済みデータを更新済みデータ記憶部に記憶し、表示部に更新済みデータを表示し、表示された更新済みデータの画面から更新後シートデータを生成し、更新後シート記憶部に記憶し、更新後ＤＢファイル生成手段が、更新後シート記憶部から更新後のシートデータを読み込み、更新後データベースファイルを生成し、更新後ＤＢファイル記憶部に記憶し、比較照合手段が、更新処理手段による更新処理前に、第１の更新用ＤＢファイル記憶部に記憶された第１の更新用データベースファイルと第２の更新用ＤＢファイル記憶部に記憶された第２の更新用データベースファイルとを比較照合し、両者の相違箇所を抽出して表示部に表示し、更新処理手段による更新処理後に、第２の更新用ＤＢファイル記憶部に記憶された第２の更新用データベースファイルと更新後ＤＢファイル記憶部に記憶された更新後データベースファイルとを比較照合し、両者の相違箇所を抽出して表示部に表示する更新データ確認システムとしているので、基幹データベースに対するデータ更新についてデータ更新が適正に為されたことを容易に確認できる効果がある。
【発明を実施するための最良の形態】
【００１４】
本発明の実施の形態について図面を参照しながら説明する。
［実施の形態の概要］
本発明の実施の形態に係る更新データ確認システム（本システム）は、更新前のデータを表計算シートデータ（更新前シートデータ）に作成し、当該シートデータをデータベースのファイル（更新前ＤＢファイル）に落とし込み、当該シートからデータの変更を行った更新用データで基幹ＤＢへの更新処理を行い、基幹ＤＢから更新終了の応答があった更新済みデータを基に表計算シートデータ（更新後シートデータ）を生成し、当該シートデータをデータベースのファイル（更新後ＤＢファイル）に落とし込み、更新前ＤＢファイルと更新後ＤＢファイルとを比較照合し、相違する部分を抽出して表示するものであり、相違点を明確に確認できる効果がある。
【００１５】
［システム全体：図１］
本発明の実施の形態に係る更新データ確認システム（本システム）について図１を参照しながら説明する。図１は、本発明の実施の形態に係る更新データ確認システムの概略図である。
本システムは、図１に示すように、基幹処理サーバ１と、基幹データベース（ＤＢ）２と、ネットワーク３と、データ入力装置４とから基本的に構成されている。
尚、データ入力装置４は、複数がネットワーク３を介して基幹処理サーバ１に接続している。
【００１６】
［各部］
［基幹処理サーバ１］
基幹処理サーバ１は、データ入力装置４からの問い合わせに対して基幹ＤＢ２に格納されたデータをデータ入力装置４に表示出力し、また、データ入力装置４から送信された更新用データを受信し、基幹ＤＢ２に対するデータ更新の処理を行い、更新が終了すると、更新済みデータをデータ入力装置４に表示出力する。
基幹処理サーバ１は、制御部１１と、主メモリ１２と、記憶部１３と、インタフェース部１４とを備えている。
【００１７】
制御部１１は、記憶部１３から処理プログラムを主メモリ１２に読み込み、動作可能とする。
主メモリ１２は、記憶部１３の処理プログラムを動作可能とするワーキングメモリである。
記憶部１３は、処理プログラム、その他関連するデータ等を記憶する。
インタフェース部１４は、基幹ＤＢ２及びネットワーク３に接続するためのインタフェースである。
【００１８】
［基幹データベース２］
基幹ＤＢ２は、顧客の部店顧客コード毎に「顧客名」「住所」「連絡先」「職業」「性別」「生年月日」等の顧客データを記憶し、基幹処理サーバ１からの問い合わせに対して対応する顧客データを読み取って基幹処理サーバ１に出力する。
また、基幹ＤＢ２は、基幹処理サーバ１からの更新用データで更新を行い、更新後に更新済みデータを基幹処理サーバ１に出力する。そして、更新済みデータは、データ入力装置４に送信される。
【００１９】
［ネットワーク３］
ネットワーク３は、データ入力装置４と基幹処理サーバ１とを接続するネットワークであり、イントラネットを予定している。
【００２０】
［データ入力装置４］
データ入力装置４は、ネットワーク３を介して、基幹処理サーバ１にアクセスし、更新前の顧客データ（更新前データ）を取得し、更新予定の更新用データを生成し、更新用データを基幹処理サーバ１に送信し、更新済みデータを基幹処理サーバ１から受信し、更新前データと更新済みデータを比較照合し、相違箇所を抽出して表示する。
【００２１】
尚、データ入力装置４は、基幹処理サーバ１と同様のハードウェア構成をしており、制御部４１と、主メモリ４２と、記憶部４３と、インタフェース部４４とを備え、加えて、インタフェース部４４には、表示部４５と入力部４６が接続されている。
制御部４１は、記憶部４３に記憶された処理プログラムを主メモリ４２にロードし、実行可能とすることで、以下に説明する各種機能実現手段を提供している。
また、記憶部４３内には、以下に説明する各種記憶部を備えている。
【００２２】
［処理の概要：図２］
本システムにおける処理に概要について図２を参照しながら説明する。図２は、処理の概要を示す概略図である。
本システムにおける処理に概要は、図２に示すように、データ入力装置４が、基幹処理サーバ１に更新対象の顧客データを問い合わせて表示部４５に表示させ、その表示画面から表計算用の更新前シートを生成し、更に、データ入力装置４は、更新前シートから更新用データを生成し、基幹ＤＢ２に対する更新処理を行う。
また、データ入力装置４は、更新前シートから更新前ＤＢ（データベース）ファイルを生成する。
【００２３】
基幹処理サーバ１により基幹ＤＢ２に対する更新処理が完了すると、データ入力装置４は、基幹ＤＢ２から更新済みデータを表示部４５に表示し、その表示画面から表計算用の更新後シートを生成し、更に、更新後シートから更新後ＤＢファイルを生成する。
【００２４】
そして、データ入力装置４は、生成した更新前ＤＢファイルと更新後ＤＢファイルとを比較照合し、相違する箇所を抽出して表示部４５に出力する。
これにより、更新前のデータと更新後のデータを容易に識別でき、更新誤りを少なくすることができる効果がある。
【００２５】
［データ入力装置４の処理手段及び記憶部：図３］
次ぎに、データ入力装置４の処理手段及び記憶部について図３を参照しながら説明する。図３は、データ入力装置の処理手段及び記憶部の概略図である。
制御部４１は、記憶部４３に記憶された処理プログラムを主メモリ４２にロードし、実行可能とすることで、更新前シート生成手段４１１と、更新前ＤＢファイル生成手段４１２と、更新処理手段４１３と、更新後シート生成手段４１４と、更新後ＤＢファイル生成手段４１５と、比較照合手段４１６を実現している。
【００２６】
また、記憶部４３内には、更新前シート記憶部４３１と、更新前ＤＢファイル記憶部４３２と、更新用データ記憶部４３３と、更新済みデータ記憶部４３４と、更新後シート記憶部４３５と、更新後ＤＢファイル記憶部４３６とを備えている。
【００２７】
［更新前シート記憶部４３１］
更新前シート記憶部４３１は、更新前の表計算シートデータを記憶する。
［更新前ＤＢファイル記憶部４３２］
更新前ＤＢファイル記憶部４３２は、更新前ＤＢファイルを記憶する。
［更新用データ記憶部４３３］
更新用データ記憶部４３３は、更新用データを記憶する。
【００２８】
［更新済みデータ記憶部４３４］
更新済みデータ記憶部４３４は、基幹ＤＢ２での更新処理が完了した更新済みデータを記憶する。
［更新後シート記憶部４３５］
更新後シート記憶部４３５は、更新後の表計算シートデータを記憶する。
［更新後ＤＢファイル記憶部４３６］
更新後ＤＢファイル記憶部４３６は、更新後ＤＢファイルを記憶する。
【００２９】
［更新前シート生成手段４１１］
更新前シート生成手段４１１は、基幹処理サーバ１に更新対象の顧客データを問い合わせると、更新前のデータが表示部４５に表示され、その表示画面から文字等の情報を読み込んで表計算用のシートデータを生成し、更新前シートデータとして更新前シート記憶部４３１に記憶する。
【００３０】
［更新前ＤＢファイル生成手段４１２］
更新前ＤＢファイル生成手段４１２は、更新前シート記憶部４３１から更新前のシートデータを読み込み、データベースのファイルとして更新前ＤＢファイルを生成し、更新前ＤＢファイル記憶部４３２に記憶する。
【００３１】
［更新処理手段４１３］
更新処理手段４１３は、問い合わせた顧客データについて住所変更等のデータ変更された更新用データを更新用データ記憶部４３３から読み込み、更新用データを基幹処理サーバ１に送信して基幹ＤＢ２に対する更新処理を実行する。
【００３２】
［更新後シート生成手段４１４］
更新後シート生成手段４１４は、基幹処理サーバ１から返信された更新済みデータを更新済みデータ記憶部４３４に記憶し、表示部４５に更新済みデータを表示し、表示された更新済みデータの画面から文字等の情報を読み込んで表計算用のシートデータを生成し、更新後シートデータとして更新後シート記憶部４３５に記憶する。
【００３３】
［更新後ＤＢファイル生成手段４１５］
更新後ＤＢファイル生成手段４１５は、更新後シート記憶部４３５から更新後のシートデータを読み込み、データベースのファイルとして更新後ＤＢファイルを生成し、更新後ＤＢファイル記憶部４３６に記憶する。
【００３４】
［比較照合手段４１６］
比較照合手段４１６は、更新前ＤＢファイル記憶部４３２に記憶された更新前ＤＢファイルと更新後ＤＢファイル記憶部４３６に記憶された更新後ＤＢファイルと比較照合し、両者の相違箇所を抽出してデータ入力装置４の表示部４５に表示する。
【００３５】
［データ入力装置４での処理フロー：図４］
次ぎに、データ入力装置４における処理について図４を参照しながら説明する。図４は、データ入力装置での処理フローチャートである。
データ入力装置４における処理は、図４に示すように、ます、更新対象の顧客データに関して部店顧客コードを入力部４６から入力し、基幹処理サーバ１に問い合わせ処理を行う（Ｓ１）。これにより、データ入力装置４の表示部４５に更新対象の顧客データが表示される。
【００３６】
次ぎに、更新前シート生成手段４１１が、表示部４５に表示された顧客データについて画面コピーを行い、当該画面コピーのデータを一時的に記憶する（Ｓ２）。そして、更新しようとする全ての顧客データについて画面コピーのデータを取得したか否かを判定し（Ｓ３）、取得したのであれば（Ｙｅｓの場合）、次の処理Ｓ４に移行する。
また、更新しようとする全ての顧客データについて画面コピーのデータを取得していなければ（Ｎｏの場合）、処理Ｓ１に戻る。
【００３７】
次ぎに、更新前シート生成手段４１１が、画面コピーのデータから表計算用のシートデータ（更新前シート）を生成し、更新前シート記憶部４３１に記憶する（Ｓ４）。
更に、更新前ＤＢファイル生成手段４１２が、更新前シート記憶部４３１に記憶された更新前シートからＤＢファイルを生成し、更新前ＤＢファイルとして更新前ＤＢファイル記憶部４３２に記憶する（Ｓ５）。
そして、更新処理手段４１３が、更新用データ記憶部４３３に記憶された更新用データを用いて基幹処理サーバ１に対して基幹ＤＢ２の更新処理を実行する（Ｓ６）。
【００３８】
次ぎに、更新処理が完了すると、基幹処理サーバ１から更新済みデータを受信し、更新済みデータ記憶部４３４に記憶すると共に表示部４５に表示する。表示部４５に表示された更新済みデータについて、更新後シート生成手段４１４が、画面コピーを行い、画面コピーのデータを一時記憶し、当該画面コピーのデータから表計算用のシートデータ（更新後シート）を生成し、更新後シート記憶部４３５に記憶する（Ｓ７）。
【００３９】
更に、更新後ＤＢファイル生成手段４１５が、更新後シート記憶部４３５に記憶された更新後シートからＤＢファイルを生成し、更新後ＤＢファイルとして更新後ＤＢファイル記憶部４３６に記憶する（Ｓ８）。
【００４０】
次ぎに、比較照合手段４１６が、更新前ＤＢファイル記憶部４３２に記憶された更新前ＤＢファイルと更新後ＤＢファイル記憶部４３６に記憶された更新後ＤＢファイルとを比較・照合し、相違する箇所を抽出する（Ｓ９）。更に、比較照合手段４１６は、相違する箇所を表示部４５に表示する（Ｓ１０）。そして、処理を終了する。
【００４１】
［別の処理の概要：図５］
また、別の処理について、図５を参照しながら説明する。図５は、別の処理の概要を示す概略図である。
本システムにおける別の処理に概要は、図５に示すように、データ入力装置４が、基幹処理サーバ１に更新対象の顧客データを問い合わせて表示部４５に表示させ、その表示画面から表計算用の更新前シートを生成する。
【００４２】
更に、データ入力装置４は、更新前シートを更新して更新用シート（１）を生成し、また、データ入力装置４は、別の操作者により更新前シートを更新して更新用シート（２）を生成する。
次ぎに、データ入力装置４は、更新用シート（１）から更新用ＤＢファイル（１）を生成し、更新用シート（２）から更新用ＤＢファイル（２）を生成する。
【００４３】
そして、データ入力装置４は、更新用ＤＢファイル（１）と更新用ＤＢファイル（２）とを比較照合（１回目の比較照合）し、一致すればＯＫであるが、不一致の場合は、相違する箇所を抽出して表示する。不一致の場合、更新用シート（１）（２）、更新用ＤＢファイル（１）（２）が訂正される。
データ入力装置４は、訂正された更新用シート（１）から更新用データを生成して、基幹ＤＢ２に対する更新処理を行う。
【００４４】
そして、基幹処理サーバ１により基幹ＤＢ２に対する更新処理が完了すると、データ入力装置４は、基幹ＤＢ２から更新済みデータを表示部４５に表示し、その表示画面から表計算用の更新後シートを生成し、更に、更新後シートから更新後ＤＢファイルを生成する。
【００４５】
そして、データ入力装置４は、更新用ＤＢファイル（２）と更新後ＤＢファイルとを比較照合（２回目の比較照合）し、相違する箇所を抽出して表示部４５に出力する。
このようなダブルエントリ方式を用いることで、更新前のデータと更新後のデータを容易に識別でき、更新誤りを少なくすることができる効果がある。
【００４６】
［別の処理の実現手段］
上記別の処理を実現するには、図３で示した更新前ＤＢファイル生成手段４１２の代わりに更新用ＤＢファイル生成手段を設け、更新前ＤＢファイル記憶部４３２の代わりに更新用ＤＢファイル１記憶部と更新用ＤＢファイル２記憶部を設ける。
また、更新用データ記憶部４３３の代わりに、更新用データ１記憶部と更新用データ２記憶部を設ける。
【００４７】
更新前シート生成手段は、基幹処理サーバ１に問い合わせて更新前の表計算用のシートデータ（更新前シート）を生成して更新前シート記憶部に記憶する。
そして、更新前シート記憶部から別々のオペレータによって形成された表計算用のシートデータとなる更新用データ（更新用データ１，２）が更新用データ１記憶部と更新用データ２記憶部に記憶される。
【００４８】
更新用ＤＢファイル生成手段は、更新用データ１記憶部から更新用データ１を読み込み、更新用ＤＢファイル１を生成し、更新用ＤＢファイル１記憶部に記憶する。
また、更新用ＤＢファイル生成手段は、更新用データ２記憶部から更新用データ２を読み込み、更新用ＤＢファイル２を生成し、更新用ＤＢファイル２記憶部に記憶する。
【００４９】
比較照合手段は、更新用ＤＢファイル１記憶部に記憶された更新用ＤＢファイル１と更新用ＤＢファイル２記憶部に記憶された更新用ＤＢファイル２とを比較照合（１回目の比較照合）し、相違する箇所を抽出し、表示出力する。
比較照合の結果、相違する箇所は、更新用データ１，２及び更新用ＤＢファイル１，２で訂正される。
【００５０】
訂正された更新用データ１について、更新処理手段が基幹処理サーバ１に更新処理を行う。
更新処理が完了し、更新済みデータが更新済みデータ記憶部に記憶されると、更新後シート生成手段が、更新後のシートを更新後シート記憶部に記憶する。更に、更新後ＤＢファイル生成手段が、更新後のＤＢファイルを生成して更新後ＤＢファイル記憶部に記憶する。
【００５１】
そして、比較照合手段は、更新用ＤＢファイル２記憶部に記憶された更新用ＤＢファイル２と更新後ＤＢファイル記憶部に記憶された更新後ＤＢファイルとを比較照合（２回目の比較照合）し、相違する箇所を抽出して、表示出力する。
１回目の比較照合の後で、訂正が適正に為されていれば、２回目の比較照合では相違する箇所はないが、訂正ミスがある場合には、２回目の比較照合でそのミス部分が表示されることになる。
【００５２】
［実施の形態の効果］
本システムによれば、基幹ＤＢ２に対するデータ更新の前後のデータをＤＢファイルにすることで、更新前後の変更箇所のみを抽出して表示できるので、変更箇所を容易に認識でき、データ更新の適正を容易に確認できる効果がある。
【００５３】
また、本システムによれば、ＤＢファイルを生成することにより、開発の基本形が構築され、各部署がＤＢファイルを活用することにより、人事異動等により別部署へ異動しても、簡易に活用できる効果がある。
【産業上の利用可能性】
【００５４】
本発明は、基幹データベースに対するデータ更新について更新前と更新後でデータ更新が適正に為されたことを容易に確認できる更新データ確認システムに好適である。
【図面の簡単な説明】
【００５５】
【図１】本発明の実施の形態に係る更新データ確認システムの概略図である。
【図２】処理の概要を示す概略図である。
【図３】データ入力装置の処理手段及び記憶部の概略図である。
【図４】データ入力装置での処理フローチャートである。
【図５】別の処理の概要を示す概略図である。
【符号の説明】
【００５６】
１…基幹処理サーバ、  ２…基幹データベース（ＤＢ）、  ３…ネットワーク、  ４…データ入力装置、  １１…制御部、  １２…主メモリ、  １３…記憶部、  １４…インタフェース部、  ４１…制御部、  ４２…主メモリ、  ４３…記憶部、  ４４…インタフェース部、  ４５…表示部、  ４６…入力部、  ４１１…更新前シート生成手段、  ４１２…更新前ＤＢファイル生成手段、  ４１３…更新処理手段、  ４１４…更新後シート生成手段、  ４１５…更新後ＤＢファイル生成手段、  ４１６…比較照合手段、  ４３１…更新前シート記憶部、  ４３２…更新前ＤＢファイル記憶部、  ４３３…更新用データ記憶部、  ４３４…更新済みデータ記憶部、  ４３５…更新後シート記憶部、  ４３６…更新後ＤＢファイル記憶部
【図１】
2009271674.tif 000003
【図２】
2009271674.tif 000004
【図３】
2009271674.tif 000005
【図４】
2009271674.tif 000006
【図５】
2009271674.tif 000007